(57)【要約】【課題】土留構造体の袋装着口に緑化用植生袋を安定的に保持させ得る植生袋の装着具と、緑化用植生袋の設置を安全に施工できる上に、植生袋内の植生基材の乾燥が効果的に防止される緑化工法とを提供する。【解決手段】緑化用植生袋４の装着口５を備えた土留構造体１に対する緑化用植生袋４の装着具であって、緑化用植生袋４を把持する少なくとも一つの略Ｕ字状部材９を備えるとともに、前記略Ｕ字状部材９に、土留構造体１の背面部側に係止する抜け止め係止片ｂ，ｂを備えている。【選択図】　　　図４
2004003245.tif 000002
【特許請求の範囲】
【請求項１】
緑化用植生袋の装着口を備えた土留構造体に対する緑化用植生袋の装着具であって、緑化用植生袋を把持する少なくとも一つの略Ｕ字状部材を備えるとともに、前記略Ｕ字状部材に、土留構造体の背面部側に係止する抜け止め係止片を備えてなることを特徴とする緑化用植生袋の装着具。
【請求項２】
土留構造体による緑化工法であって、緑化用植生袋の装着口を備えた土留構造体を複数設置し、この際、請求項１に記載の装着具にて、袋装着口に予め緑化用植生袋を装着しておき、かつ、土留構造体の背部空間に土砂などを裏込めすることを特徴とする土留構造体による緑化工法。
【請求項３】
土留構造体による緑化工法であって、緑化用植生袋の装着口を備えた土留構造体と袋装着口を備えない土留構造体とを複数設置し、この際、請求項１に記載の装着具にて、袋装着口に予め緑化用植生袋を装着しておき、かつ、土留構造体の背部空間に土砂などを裏込めすることを特徴とする土留構造体による緑化工法。
【請求項４】
緑化用植生袋の装着口を備えた土留構造体に対する緑化用植生袋の装着具であって、前記土留構造体の装着口に配置されたネットに係止される係止部分を先端部に有し、かつ、前記緑化用植生袋を挿通する挿通部と、この挿通部よりも後端側に設けられ、前記挿通部の緑化用植生袋内への進入を規制する規制部とを備えたことを特徴とする緑化用植生袋の装着具。
【請求項５】
土留構造体による緑化工法であって、緑化用植生袋の装着口を備えた土留構造体を複数設置し、かつ、土留構造体の装着口にネットを配置した後、請求項４に記載の装着具の挿通部を緑化用植生袋に挿通するとともに前記係止部分をネットに係止することにより緑化用植生袋を前記装着口に装着し、かつ、土留構造体の背部空間に土砂などを裏込めすることを特徴とする土留構造体による緑化工法。
【請求項６】
土留構造体による緑化工法であって、緑化用植生袋の装着口を備えた土留構造体と装着口を備えない土留構造体とを複数設置し、かつ、土留構造体の装着口付近にネットを配置した後、請求項４に記載の装着具の挿通部を緑化用植生袋に挿通するとともに前記係止部分をネットに係止することにより緑化用植生袋を前記装着口に装着し、かつ、土留構造体の背部空間に土砂などを裏込めすることを特徴とする土留構造体による緑化工法。
【発明の詳細な説明】
【０００１】
【発明の属する技術分野】
本発明は、緑化用植生袋の装着口を備えた土留構造体に対する緑化用植生袋の装着具と、土留構造体による緑化工法とに関する。
【０００２】
【従来の技術】
例えば山地等の崩壊法面や、切土や盛土の法面、その他、護岸を目的として川岸などを緑化する上で、従来では、図１に示す土留構造体１を参照して、及び、図１７に示すように、鉄筋挿通孔ａを形成した棒状部材（例えば丸太材）３ａの複数本を、所定の部位に植生袋４の装着口５を形成する状態で、これを重ね合わせて一対のＬ字状鉄筋２，２にセットし、かつ、この鉄筋２の上端部を曲げ加工して、土留構造体１を作製する一方、例えば不織布等のシートによる袋体６に植生基材７を充填してなる植生袋４を用意して、次なる緑化の工法がとられていたのである。
【０００３】
即ち、土留構造体１の一段目を法面の前面部に設置し、この土留構造体１の背部空間Ａに土砂１１などを裏込めして転圧し、これに続いて二段目、三段目……と、所定の高さになるまで、土留構造体１の設置と土砂１１の裏込め及び転圧の作業を繰り返して、最終的に、土留構造体１の袋装着口５に植生袋４を押し込み、これを釘１５などを用いて土留構造体１に固定する緑化工法がとられていたのである。
【０００４】
【発明が解決しようとする課題】
上記の緑化工法によれば、植生基材７に含む牧草種子や樹木種子などが時間を経て発芽・発根して、これが袋体６を通芽して生育することで、やがては法面が緑化されるのであるが、上記の緑化工法では、土留構造体１を多段にわたって設置した後に、植生袋４の取り付けを行うことから、この植生袋４の取り付け作業が順次に高所作業となり、安全性の面ならびに施工性の面で問題があった。
【０００５】
また、土留構造体１の背部空間Ａに土砂１１などを裏込めした後に、袋装着口５に植生袋４を押し込むだけでは、この植生袋４の土砂１１などとの密着性が不充分であって、植生袋内の植生基材７が乾燥することが懸念されるのであり、更には、植生袋４を釘１５などを用いて土留構造体１に固定する手段では、植生袋４が局部的に固定されることに加えて、植生袋４の袋体６が径時的に腐食することから、植生袋４の固定が不充分となり、植生袋４が落下することも懸念されたのである。
【０００６】
本発明は、土留構造体の袋装着口に対して、緑化用植生袋を安定的に保持させることができる緑化用植生袋の装着具と、土留構造体による緑化に際して、その緑化用植生袋の設置を安全に施工できる上に、植生袋内の植生基材の乾燥も効果的に防止される緑化工法とを提供することを目的としている。
【０００７】
【課題を解決するための手段】
即ち、土留構造体の装着口に対する緑化用植生袋の装着具として、本発明による装着具は、緑化用植生袋を把持する少なくとも一つの略Ｕ字状部材を備えるとともに、前記略Ｕ字状部材に、土留構造体の背面部側に係止する抜け止め係止片を備えてなる点に特徴がある（請求項１）。
【０００８】
かかる構成の装着具によれば、緑化用植生袋を略Ｕ字状部材に嵌め込んで、植生袋を圧縮変形させつつ、抜け止め係止片を土留構造体の装着口に差し込み、かつ、抜け止め係止片が装着口の上下の最小隙間部分を通過した段階で、略Ｕ字状部材を弾性的に拡開させることで、緑化用植生袋を土留構造体の装着口にセットすることができる。
【０００９】
或いは、緑化用植生袋を略Ｕ字状部材に嵌め込んで、この略Ｕ字状部材を土留構造体の背面部側から装着口に押し込むことによっても、緑化用植生袋を土留構造体の装着口にセットすることができるのであり、いずれにしても、このセット状態で、抜け止め係止片が土留構造体の背面部側に係止することで、緑化用植生袋の土留構造体外側への抜け止めが達成されるのである。
【００１０】
即ち、本発明による緑化用植生袋の装着具によれば、工具を必要としないで、緑化用植生袋を土留構造体の装着口に簡易に装着できるのであり、しかも、この装着具によれば、植生袋を局部的に釘止めするような従来の手段に比較して、植生袋を長期にわたって安定的に保持させることができるのである。
【００１１】
土留構造体による緑化工法として、緑化用植生袋の装着口を備えた土留構造体を複数設置し、この際、上記の構成による装着具を用いて、土留構造体の袋装着口に予め緑化用植生袋を装着しておき、かつ、土留構造体の背部空間に土砂などを裏込めすることが好適であり（請求項２）、この緑化工法によれば、緑化用植生袋の装着を低所作業で行えることから、安全性を向上させることができるのであり、また、緑化用植生袋を土留構造体の袋装着口に予め装着させておいて、この後に土砂などの裏込めを施すことから、緑化用植生袋に対する裏込め土砂などの密着性が高くなり、植生袋内の植生基材の乾燥が効果的に防止されるようになる。
【００１２】
上記の緑化の工法では、土留構造体の全てに緑化用植生袋を備えさせているが、袋装着口を備えない土留構造体を用意して、この土留構造体を例えば市松模様の状態で設置する緑化工法をとってもよいのであり、この緑化工法が請求項３に記載の発明によって提供される。
【００１３】
即ち、請求項３に記載された土留構造体による緑化工法では、緑化用植生袋の装着口を備えた土留構造体と袋装着口を備えない土留構造体とを複数設置し、この際、上記の構成による装着具を用いて、土留構造体の袋装着口に予め緑化用植生袋を装着しておき、かつ、土留構造体の背部空間に土砂などを裏込めする点に特徴がある。
【００１４】
この請求項３に記載の発明によっても、植生袋内の植生基材の乾燥が効果的に防止される上に、土留構造体の袋装着口に対する緑化用植生袋の装着作業を、低所での作業によって安全に且つ施工性良く行える緑化工法が提供される。
【００１５】
また、土留構造体の装着口に対する緑化用植生袋の装着具として、本発明による他の装着具は、前記土留構造体の装着口に配置されたネットに係止される係止部分を先端部に有し、かつ、前記緑化用植生袋を挿通する挿通部と、この挿通部よりも後端側に設けられ、前記挿通部の緑化用植生袋内への進入を規制する規制部とを備えた点に特徴がある（請求項４）。
【００１６】
かかる構成の装着具によれば、緑化用植生袋に前記挿通部を挿通しつつ、前記係止部分を土留構造体の装着口付近に配置されたネットに係止することで、緑化用植生袋を土留構造体の装着口に前記ネットに密着させてセットすることができる。
【００１７】
そして、上記セット状態で、係止部分が土留構造体の装着口付近に配置されたネットに係止することで、緑化用植生袋の土留構造体外側への抜け止めが達成されるのである。
【００１８】
即ち、上記の構成からなる装着具によっても、工具を必要としないで、緑化用植生袋を土留構造体の装着口に簡易に装着できるのであり、しかも、この装着具によれば、植生袋を単に釘止めするような従来の手段に比較して、植生袋を長期にわたって安定的に保持させることができるのである。
【００１９】
本発明の土留構造体による他の緑化工法として、緑化用植生袋の装着口を備えた土留構造体を複数設置し、かつ、土留構造体の装着口にネットを配置した後、上記の構成からなる装着具の挿通部を緑化用植生袋に挿通するとともに前記係止部分をネットに係止することにより緑化用植生袋を前記装着口に装着し、かつ、土留構造体の背部空間に土砂などを裏込めすることが好適であり（請求項５）、この緑化工法によっても、緑化用植生袋の装着を低所作業で行えることから、安全性を向上させることができるのであり、また、緑化用植生袋を土留構造体の袋装着口に予め装着させておいて、この後に土砂などの裏込めを施すことから、緑化用植生袋に対する裏込め土砂などの密着性が高くなり、植生袋内の植生基材の乾燥が効果的に防止されるようになる。
【００２０】
上記の緑化の工法では、土留構造体の全てに緑化用植生袋を備えさせているが、袋装着口を備えない土留構造体を用意して、この土留構造体を例えば市松模様の状態で設置する緑化工法をとってもよいのであり、この緑化工法が請求項６に記載の発明によって提供される。
【００２１】
即ち、請求項６に記載された土留構造体による緑化工法では、緑化用植生袋の装着口を備えた土留構造体と装着口を備えない土留構造体とを複数設置し、かつ、土留構造体の装着口付近にネットを配置した後、上記の構成からなる装着具の挿通部を緑化用植生袋に挿通するとともに前記係止部分をネットに係止することにより緑化用植生袋を前記装着口に装着し、かつ、土留構造体の背部空間に土砂などを裏込めする点に特徴がある。
【００２２】
この請求項６に記載の発明によっても、植生袋内の植生基材の乾燥が効果的に防止される上に、土留構造体の袋装着口に対する緑化用植生袋の装着作業を、低所での作業によって安全に且つ施工性良く行える緑化工法が提供される。
【００２３】
これらの緑化工法に用いる土留構造体として、棒状部材の重ね合わせ構造によるものやコンクリート製のものなどが適宜に選択されるが、棒状部材の重ね合わせ構造による土留構造体を選択する場合において、必要に応じて棒状部材の重ね合わせ部に、シート状部材に植物種子を担持させてなる張芝体を介装させれば、緑化用植生袋による緑化に加えて土留構造体をライン状に緑化させることができのであって、見栄えが良くなる点で好適である。
【００２４】
【発明の実施の形態】
以下、本発明の実施の形態を図面に基づいて説明する。図１及び図２は法面の緑化に用いられる土留構造体１を示し、この土留構造体１は予めユニット化されたものであって、次のようにして作製されている。
【００２５】
即ち、Ｌ字状鉄筋２の挿通孔ａを両側に形成した長尺の棒状部材３ａと、中間部にＬ字状鉄筋２の挿通孔ａを形成した短尺の棒状部材３ｂとを、長尺の棒状部材３ａ，３ａ間に短尺の棒状部材３ｂ，３ｂを位置させる状態で、順次一対のＬ字状鉄筋２，２の縦筋部分に嵌め込み、かつ、鉄筋２，２の上端部を曲げ加工して、棒状部材３ａ，３ｂの一体化を図り、短尺の棒状部材３ｂ，３ｂとこれの上下の長尺の棒状部材３ａ，３ａとの間に、緑化用植生袋４の装着口５を形成してなるのである。
【００２６】
上記の緑化用植生袋４は、植物の通芽を妨げず、かつ植生基材７を保持できる程度の強度をもつ例えば不織布や繊維製などのシートによる袋体６に植生基材７を充填して、その充填口を閉じてなるもので、直径が袋装着口５の上下の棒状部材３ａ，３ａ間の隙間寸法程度で、長さが袋装着口５の左右の棒状部材３ｂ，３ｂ間の隙間長さ程度のものである。
【００２７】
植生基材７は、ピートモスやバーク堆肥、パーライト、バーミキュライト等から適宜に選択される有機質・無機質材に、必要に応じて化学肥料、植物性繊維、土壌改良材、保水剤などを配合した植生材料と、これに緑化目標に基づいて選択される牧草種子や樹木種子などの必要量を配合してなるが、樹木種子など郷土種の植物種子を潜在した現地表土を選択することも好適である。
【００２８】
この緑化用植生袋４をユニット化された土留構造体１の袋装着口５に装着するための袋装着具８は、帯鋼などの小幅の金属製や合成樹脂製などであって、開き勝手の弾性変形を伴って緑化用植生袋４を弾性的に把持する略Ｕ字状部材９に、土留構造体１の背面部側に係止する抜け止め係止片ｂ，ｂを備える一方、略Ｕ字状部材９に緑化用植生袋４の係止部材１０，１０を連設してなる。
【００２９】
より詳しくは、略Ｕ字状部材９は、袋装着口５の上下の棒状部材３ａ，３ａに形状的に馴染む湾曲部材９ａ，９ａを、フラット部材９ｂの上下に連設してなるもので、この湾曲部材９ａ，９ａの端部を、土留構造体１の背面部側に係止する抜け止め係止片ｂ，ｂとしており、そして、湾曲部材９ａ，９ａの端部に緑化用植生袋４の係止部材１０，１０を折り曲げ連設しているのである。
【００３０】
尚、自由状態において、略Ｕ字状部材９の湾曲部材９ａ，９ａ間の寸法を、上下の棒状部材３ａ，３ａ間の寸法とほゞ同じに成形しているが、湾曲部材９ａ，９ａ間の寸法をやゝ大に成形してもよいのである。
【００３１】
かゝる構成の袋装着具８によれば、湾曲部材９ａ，９ａ間に緑化用植生袋４を嵌め込んで、緑化用植生袋４を圧縮変形させつつ、抜け止め係止片ｂ，ｂを袋装着口５に差し込み、かつ、抜け止め係止片ｂ，ｂが袋装着口５の上下の最小隙間部分を通過した段階で、湾曲部材９ａ，９ａを弾性的に拡開させることで、土留構造体１の袋装着口５に対する緑化用植生袋４の一体化がなされるのであり、このセット状態で、抜け止め係止片ｂ，ｂが土留構造体１の背面部側に係止することで、土留構造体１の外側への緑化用植生袋４の抜け止めが達成されるのである（図４を参照）。
【００３２】
緑化用植生袋４の装着具８は、上記の構成に限られるものではなく、図３（Ａ）に示すように、Ｕ字状の略Ｕ字状部材９の端部に抜け止め係止片ｂ，ｂを備えてなるものや、図３（Ｂ）に示すように、横向きの凹溝形状の略Ｕ字状部材９の端部に抜け止め係止片ｂ，ｂを備えてなるもの、その他、図３（Ｃ）に示すように、横向き凹溝の側面部を傾斜させた略Ｕ字状部材９の端部に抜け止め係止片ｂ，ｂを備えてなるものや、図３（Ｄ）に示すように、Ｖ字状の略Ｕ字状部材９の端部に抜け止め係止片ｂ，ｂを備えてなるものを適宜に選択可能である。
特に図３（Ｃ）および（Ｄ）に示す構成の装着具８は、略Ｕ字状部材９で緑化用植生袋４を把持してセットする際、Ｖ字の突出部に指を引っ掛けることで作業が更に容易となり好ましい。
【００３３】
上記の構成による土留構造体１を用いての例えば法面の緑化に際しては、図４に示すように、ユニット化された土留構造体１の袋装着口５に、予め緑化用植生袋４を装着しておき、この土留構造体１の一段目を法面の前面部に設置して、この土留構造体１の背部空間Ａに土砂１１などを裏込めして転圧し、これに続いて二段目、三段目……と、所定の高さになるまで、土留構造体１の設置と土砂１１などの裏込め及び転圧の作業を繰り返し行うのである。
【００３４】
この土留構造体１による緑化工法によれば、低地での作業によって、土留構造体１の袋装着口５に対する緑化用植生袋４の装着作業を行えることから、安全性を向上させることができるのであり、また、緑化用植生袋４を土留構造体１の袋装着口５に予め装着させておいて、この後に土砂１１などの裏込めを施すことから、緑化用植生袋４に対する裏込め土砂１１などの密着性が高くなり、緑化用植生袋４内の植生基材７の乾燥が効果的に防止されて、植生が良好に生育するようになる。
【００３５】
この際、樹木種子などの郷土種の植物種子を潜在した現地表土を緑化用植生袋４に含ませた場合は、法面の周辺景観との調和や法面の永続的安定化、自然界への回復などが達成される利点がある。
【００３６】
ここで、図５に示すように、シート状部材１２ａに植物種子ｃを担持させてなる張芝体１２を用意して、この張芝体１２を土留構造体１の棒状部材３ａ，３ｂの重ね合わせ部に介装すれば、緑化用植生袋４による緑化に加えて土留構造体１をライン状に緑化させることができのであって、見栄えが良くなる点で好適である。
【００３７】
上記の緑化工法では、土留構造体１の全てに緑化用植生袋４を備えさせているが、袋装着口を備えない土留構造体を用意して、この土留構造体を例えば市松模様の状態で設置する緑化工法をとってもよいのである。
【００３８】
また、上記の実施の形態では、土留構造体１を構成する長尺ならびに短尺の棒状部材３ａ，３ｂとして、間伐材や風倒木などの丸太材を適宜に製材したものを利用しているが、丸太材をそのまま利用してもよく、この場合、土留構造体１の見栄えが良好で環境に優しいものとなり、更には、間伐材や風倒木などの用途が拡がることから、林業の活性化を図る上で頗る好適であるが、その他、例えばリサイクルされた合成樹脂製の杭材などを任意に選択することができる。
【００３９】
このような棒状部材の重ね合わせ構造に限らず、図６に示すように、袋装着口５を備えたＬ字状のコンクリート製土留構造体１を用いてもよいのである。
【００４０】
尚、上記の実施の形態では、図７（Ａ）にも示すように、袋装着具８を緑化用植生袋４の長手方向の両側にセットさせているが、図７（Ｂ）に示すように、長手方向の中間部にも袋装着具８をセットしてもよく、また、図７（Ｃ）に示すように、連結部材１３によって袋装着具８の複数個を一体化させてもよいのである。
【００４１】
更に、図７（Ｄ）に示すように、緑化用植生袋４をネット１４で保護して、これを土留構造体１の袋装着口５に装着するようにしてもよいのであり、このネット１４付きの緑化用植生袋４は、護岸を目的とした川岸などの緑化に用いて好適である。
【００４２】
なお、上記実施の形態では、袋装着具８を用いて緑化用植生袋４を土留構造体１の袋装着口５に装着するようにしているが、前記袋装着具８に代えて、図８〜図１１に示すように、以下の構成を有する装着具１５を用いて緑化用植生袋４を土留構造体１の袋装着口５に装着するようにしてもよい。
【００４３】
すなわち、前記装着具１５は、前記土留構造体１の装着口５に配置されたネット１６に係止される係止部分１７を先端部に有し、かつ、前記緑化用植生袋４を挿通する挿通部１８と、この挿通部１８よりも後端側に設けられ、前記挿通部１８の緑化用植生袋４内への進入を規制する規制部１９とを備えており、例えば、金属やプラスチックなど適宜の素材からなる。
【００４４】
図８および図９に示す土留構造体１は、図１および図２に示す土留構造体１と同様の構成からなり、前記ネット１６は、例えば、２〜５ｍｍ角程度の目合を有するものであり、前記土留構造体１を構成する棒状部材３ａ，３ｂの背面に沿った状態で配置される。
【００４５】
前記挿通部１８は、ほぼ直線状をしており、本実施例では、棒状に形成されている。そして、その先端部の前記係止部分１７は、挿通部１８の外周面から後方に向かって突出する形状をしており、このような形状をしていることにより、前記ネット１６に係止部分１７を含む挿通部１８の先端部を挿通させる動作はスムーズに行われ、かつ、ネット１６から挿通部１８の先端部を引き抜く動作は、前記係止部分１７がネット１６に係止されることにより防止（邪魔）されることになる。
【００４６】
なお、前記係止部分１７は、図１１に示すように、挿通部１８の先端部の一側および他側に対称的にそれぞれ２つずつ計４つ設けられているものに限られず、例えば、図１４（Ａ）に示すように、挿通部１８の先端部の一側および他側に対称的にそれぞれ３つずつ計６つ設けられていてもよく、図１４（Ｂ）に示すように、挿通部１８の先端部の一側および他側に非対称的に設けられていてもよく、図１４（Ｃ）に示すように、挿通部１８の先端部の一側および他側に対称的にそれぞれ１つずつ計２つ設けられていてもよい。
【００４７】
前記規制部１９は、前記挿通部１８の後端部からほぼ側方にのびた形状や、釘頭形状をしてなる。
【００４８】
かゝる構成の袋装着具１５によれば、挿通部１８を緑化用植生袋４に挿通するとともに前記係止部分１７をネット１６に係止することで、土留構造体１の袋装着口５に対する緑化用植生袋４の一体化がなされるのであり、このセット状態では、係止部分１７が土留構造体１の袋装着口５に係止することで、土留構造体１の外側への緑化用植生袋４の抜け止めが達成されるのである。
【００４９】
前記装着具１５を用いた緑化用植生袋４の取り付けは、図８および図９に示す土留構造体１のみに適用されるものではなく、例えば、図１２に示すように、図６に示した袋装着口５を備えたＬ字状のコンクリート製土留構造体１と同様の構成を有する土留構造体１に適用してもよい。
【００５０】
この場合には、図１３（Ａ）に示すように、前記ネット１６を土留構造体１の適宜の箇所に張りつけた状態としてもよいし、図１３（Ｂ）に示すように、前記ネット１６を土留構造体１に埋設してもよい。
【００５１】
また、緑化用植生袋４の装着具１５は、上記の構成に限られるものではなく、図１５（Ａ）に示すように、前記規制部１９が、挿通部１８と同じく棒状で、かつ挿通部１８とでほぼＴ字状を形成するように構成されていてもよく、図１５（Ｂ）に示すように、前記規制部１９が、板状で、かつ挿通部１８とでほぼＴ字状を形成するように構成されていてもよく、図１５（Ｃ）に示すように、前記規制部１９が、挿通部１８と直交する面上において面的な広がりを有し、かつ適宜にくり抜かれている形状に形成されていてもよい。
【００５２】
さらに、前記規制部１９は、複数の挿通部１８を適宜の間隔をあけた状態で連結する形状となっていてもよく、例えば、図１６（Ａ）に示すように、２つの挿通部１８，１８を連結する棒状に形成されていてもよく、図１６（Ｂ）に示すように、３つの挿通部１８，１８，１８を等間隔で連結する棒状に形成されていてもよい。
【００５３】
上記の構成による袋装着具１５を用いての土留構造体１による例えば法面の緑化は、土留構造体１の装着口５にネット１６を配置した後、ユニット化された土留構造体１の袋装着口５に、装着具１５を用いて緑化用植生袋４を装着し、この土留構造体１の一段目を法面の前面部に設置して、この土留構造体１の背部空間に土砂などを裏込めして転圧し、これに続いて二段目、三段目……と、所定の高さになるまで、土留構造体１の設置と土砂などの裏込め及び転圧の作業を繰り返し行うのである。
【００５４】
前記袋装着具１５を用いた土留構造体１による緑化工法によっても、低地での作業により、土留構造体１の袋装着口５に対する緑化用植生袋４の装着作業を行えることから、安全性を向上させることができる。
【００５５】
また、上記緑化工法では、緑化用植生袋４を土留構造体１の袋装着口５に予め装着させておいて、この後に土砂などの裏込めを施すのであり、前記ネット１６を介して裏込め土砂などが袋装着口５から若干はらみ出すことにより、緑化用植生袋４に対する裏込め土砂などの密着性が高くなり、緑化用植生袋４内の植生基材７の乾燥が効果的に防止されて、植生が良好に生育するようになる。
【００５６】
その他、前記袋装着具８を用いた土留構造体１による緑化工法に適用可能な構成を、袋装着具１５を用いた土留構造体１による緑化工法に適用してもよいことはもちろんである。
【００５７】
【発明の効果】
以上説明したように本発明によれば、土留構造体の袋装着口に対して、緑化用植生袋を安定的に保持させることができる緑化用植生袋の装着具と、土留構造体による緑化に際して、その緑化用植生袋の設置を安全に施工できる上に、植生袋内の植生基材の乾燥も効果的に防止される緑化工法とが提供される。
【図面の簡単な説明】
【図１】土留構造体と緑化用植生袋の斜視図である。
【図２】土留構造体の袋装着口に対する緑化用植生袋の装着の説明図である。
【図３】（Ａ）〜（Ｄ）は、それぞれ袋装着具の別の実施の形態を示す側面図である。
【図４】緑化用植生袋を備えた土留構造体を上下多段にわたって構築した法面緑化の初期状況の説明図である。
【図５】棒状部材の重ね合わせ部に張芝体を備えた別の実施の形態による土留構造体の断面図である。
【図６】コンクリート製の土留構造体を示す斜視図である。
【図７】（Ａ）〜（Ｄ）は、それぞれ袋装着具の別の実施の形態による装着例を示す説明図である。
【図８】他の土留構造体と緑化用植生袋の斜視図である。
【図９】上記土留構造体の袋装着口に対する緑化用植生袋の装着の説明図である。
【図１０】上記土留構造体の袋装着口に対する緑化用植生袋の装着の拡大説明図である。
【図１１】他の袋装着具の斜視図である。
【図１２】他のコンクリート製の土留構造体を示す斜視図である。
【図１３】（Ａ）および（Ｂ）は、それぞれ上記コンクリート製の土留構造体へのネットの配置方法を示す縦断面図である。
【図１４】（Ａ）〜（Ｃ）は、それぞれ前記袋装着具の係止部分の別の実施の形態を示す説明図である。
【図１５】（Ａ）〜（Ｃ）は、それぞれ前記袋装着具の規制部の別の実施の形態を示す説明図である。
【図１６】（Ａ）および（Ｂ）は、それぞれ前記袋装着具の規制部のさらに別の実施の形態を示す説明図である。
【図１７】従来例の土留構造体による法面緑化の初期状況の説明図である。
【符号の説明】１…土留構造体、３ａ，３ｂ…棒状部材、４…緑化用植生袋、５…袋装着口、８，１５…袋装着具、９…略Ｕ字状部材、１１…土砂、１２…張芝体、１２ａ…シート状部材、ｂ…抜け止め係止片、ｃ…植物種子。
【図１】
2004003245.tif 000003
【図２】
2004003245.tif 000004
【図３】
2004003245.tif 000005
【図４】
2004003245.tif 000006
【図５】
2004003245.tif 000007
【図６】
2004003245.tif 000008
【図７】
2004003245.tif 000009
【図８】
2004003245.tif 000010
【図９】
2004003245.tif 000011
【図１０】
2004003245.tif 000012
【図１１】
2004003245.tif 000013
【図１２】
2004003245.tif 000014
【図１３】
2004003245.tif 000015
【図１４】
2004003245.tif 000016
【図１５】
2004003245.tif 000017
【図１６】
2004003245.tif 000018
【図１７】
2004003245.tif 000019